(57)【要約】  あらゆる状態においても高いＡＦＣ能力を必要とせず、移動局からの上り信号を処理するため、複数のアンテナを備えた無線基地局において、該移動局からの受信信号を取り込み、該受信信号のレベルが高い第１のアンテナで該移動局との送受信を行うと共に、この送受信状態において該第１のアンテナについて該受信信号の割当周波数に対して測定した周波数変動特性が、該移動局が該第１のアンテナから遠ざかって移動していることを示す時、該移動局への送信を第２のアンテナで行うように切り替える。
2009034614.tif 000002
【特許請求の範囲】
【請求項１】
複数のアンテナと、
移動局からの受信信号を取り込み、該受信信号のレベルが高い第１のアンテナで該移動局との送受信を行うと共に、この送受信状態において該第１のアンテナについて該受信信号の割当周波数に対して測定した周波数変動特性が、該移動局が該第１のアンテナから遠ざかって移動していることを示す時、該移動局への送信を第２のアンテナで行うように切り替える信号処理部と、
を備えたことを特徴とする無線基地局。
【請求項２】
請求項１において、
該信号処理部が、該周波数変動特性が負特性を呈し且つその変動幅が所定閾値を越えた時、該移動局が該第１のアンテナから遠ざかって移動していると判定することを特徴とする無線基地局。
【請求項３】
請求項１において、
該信号処理部が、該移動局への送信を該第２のアンテナで行うように切り替えた後に、該第２のアンテナについて測定した周波数変動特性の変動幅が所定閾値以下である時、該移動局が該第２のアンテナの一定距離範囲内に移動して来たと判定し、該移動局からの受信も該第２のアンテナで行うように切り替えることを特徴とする無線基地局。
【請求項４】
請求項３において、
該複数のアンテナ及び該信号処理部を該無線基地局が管理するセクタ毎に設け、
隣接するセクタ間で隣接するアンテナ同士が、同等の周波数変動特性を呈するように近づけて設置されていることを特徴とする無線基地局。
【請求項５】
複数のスレイブ基地局と、
移動局からの該スレイブ基地局の受信信号を取り込み、該受信信号のレベルが高い第１のスレイブ基地局に該移動局との送受信を行わせると共に、この送受信状態において該第１のスレイブ基地局について該受信信号の割当周波数に対して測定した周波数変動特性が、該移動局が該第１のスレイブ基地局から遠ざかって移動していることを示す時、該移動局への送信を第２のスレイブ基地局に行わせるように制御するマスタ基地局と、
を備えたことを特徴とする無線基地局システム。
【請求項６】
複数のアンテナと、移動局からの受信信号を取り込み、該受信信号のレベルが高い第１のアンテナで該移動局との送受信を行うと共に、この送受信状態において該第１のアンテナについて該受信信号の割当周波数に対して測定した周波数変動特性が、該移動局が該第１のアンテナから遠ざかって移動していることを示す時、該移動局への送信を第２のアンテナで行うように切り替え、この切替の後に、該第２のアンテナについて測定した周波数変動特性の変動が所定閾値以下である時、該移動局が該第２のアンテナの一定距離範囲内に移動して来たと判定し、該移動局からの受信も該第２のアンテナで行うように切り替える信号処理部とを有する無線基地局を複数備えた無線基地局システムであって、
隣接する無線基地局間で隣接するアンテナ同士が、同等の周波数変動特性を呈するように近づけて設置されていることを特徴とする無線基地局システム。
【請求項７】
複数のアンテナを備えた無線基地局の制御方法であって、
移動局からの受信信号を取り込み、該受信信号のレベルが高い第１のアンテナで該移動局との送受信を行う第１ステップと、
この送受信状態において該第１のアンテナについて該受信信号の割当周波数に対する周波数変動特性を測定する第２ステップと、
該周波数変動特性が、該移動局が該第１のアンテナから遠ざかって移動していることを示す時、該移動局への送信を第２のアンテナで行うように切り替える第３ステップと、
を備えたことを特徴とする無線基地局の制御方法。
【発明の詳細な説明】
【技術分野】
【０００１】
本発明は、無線基地局及びその制御方法に関し、特に移動通信システム内において移動局との通信を行う無線基地局及びその制御方法に関するものである。
【背景技術】
【０００２】
図10は、従来より一般的に知られている移動通信システムにおける無線基地局の構成を示している。この無線基地局10は、大略、アンテナANTに接続された送受信部100と、移動局20−無線基地局10間で送受信される信号に対してベースバンド処理を施すベースバンド信号処理部200と、移動通信網NWとのインタフェースである通信網インタフェース300とで構成されている。【０００３】
このような移動通信システムにおいては、移動局20の移動に伴って発生するドップラー効果の影響により、無線基地局10が、移動局20から受信する上り信号に周波数偏移(変動)が生じる。【０００４】
このため、無線基地局10内のベースバンド信号処理部200は、受信した上り信号の周波数を所定の割当周波数に合わせて自動的に調整するＡＦＣ(Automatic Frequency Control)機能を備えている(例えば、特許文献1参照。)。
【特許文献１】特開2005-295282号公報
【発明の開示】
【発明が解決しようとする課題】
【０００５】
上記の従来例では、移動局が高速移動するような場所に設置される無線基地局が、大きな周波数変動に対応できる高いＡＦＣ能力を持っている必要があり、これに伴って無線基地局内の回路規模が増大してしまうという課題があった。【０００６】
以下、上記の課題を、図11(1)〜(3)に示す如く移動局20が位置P1→P2→P3と移動して無線基地局10を通過する場合を例に取って具体的に説明する。ここで、移動局20を所持するユーザ(図示せず)は、速度V＝“250Km/h”で移動する高速列車TRに搭乗しているものとする。【０００７】
同図(1)に示すように、移動局20は、位置P1において、無線基地局10から送信された下り信号DS(但し、割当周波数FD＝“2.10GHz”とする。)を受信する。ここで、位置P1は無線基地局10のアンテナANTから十分に離れており、移動局20の進行方向と下り信号DSの到来方向との成す角度θ≒“0”が成立しているものとすると、移動局20における下り信号DSの受信周波数(以下、移動局受信周波数)RF20は、下記の式(1)に示す値となる。【０００８】
移動局受信周波数RF20 ＝ 下り割当周波数FD(2.10GHz)
＋下りドップラーシフト周波数DD(495Hz)    …式(1)【０００９】
ここで、上記の式(1)中の下りドップラーシフト周波数DD＝“495Hz”は、下記の式(2)に従って算出される。なお、後述する上りドップラーシフト周波数についても、この式(2)により同様に算出される。【００１０】
下りドップラーシフト周波数DD ＝ 移動速度V・下り割当周波数FD／光速C…式(2)
そして、移動局20は、下記の式(3)に示す送信周波数TFで上り信号US(但し、割当周波数FU＝“1.90GHz”とする。)を無線基地局10に対して送信する。【００１１】
移動局送信周波数TF ＝ 上り割当周波数FU(1.90GHz)
＋下りドップラーシフト周波数DD          …式(3)
すなわち、移動局20は受信周波数RF20に同期して送信周波数TFを生成するため、下りドップラーシフト周波数DDがそのまま上り信号USに伝達される。従って、無線基地局10における上り信号USの受信周波数(以下、基地局受信周波数)RF10は、さらに上りドップラーシフト周波数DU(451Hz)の影響を受けて下記の式(4)に示す値となる。【００１２】
基地局受信周波数RF10  ＝ 移動局送信周波数TF
＋上りドップラーシフト周波数DU(451Hz)
＝ FU＋(DD＋DU)
＝ 1.90GHz＋946Hｚ                       …式(4)
すなわち、無線基地局10が受信する上り信号USには、下りドップラーシフト周波数DD及び上りドップラーシフト周波数DUの両者が周波数変動となって現れる。【００１３】
この後、移動局20が無線基地局10のアンテナANTに近づくにつれて、基地局受信周波数RF10及び移動局受信周波数RF20の周波数変動幅は、図12の特性CR10及びCR20に示す如く、それぞれ“946Hz”及び“495Hz”から減少して行く特性を呈する。これは、上記の角度θの増加に伴って移動局20の移動速度Vの基地局方向成分(Vcosθ)が減少し、下りドップラーシフト周波数DD及び上りドップラーシフト周波数DUが共に減少するためである。【００１４】
そして、移動局20が図11(2)に示すように位置P2に到達した時、速度Vの基地局方向成分が“0”となるため、下り信号DS及び上り信号USにはドップラーシフトが生じず、基地局受信周波数RF10及び移動局受信周波数RF20がそれぞれ上り割当周波数FU及び下り割当周波数FDと等しくなる。【００１５】
この後、移動局20がアンテナANTから遠ざかるにつれて、基地局受信周波数変動特性CR10及び移動局受信周波数変動特性CR20は、図12に示す如く“0Hz”からさらに減少して行く負特性を呈する。すなわち、移動局20が無線基地局10から遠ざかって移動する場合には、上り・下り共に負のドップラーシフトが発生する。【００１６】
そして、移動局20が図11(3)に示すように位置P3に到達した時、移動局受信周波数RF20及び基地局受信周波数RF10は、それぞれ下記の式(5)及び(6)に示す値となる。但し、位置P3は、位置P1と同様にアンテナANTから十分に離れている(すなわち、上記の角度θ≒“0”が成立している)ものとする。【００１７】
移動局受信周波数RF20 ＝ 下り割当周波数FD
−下りドップラーシフト周波数DD       …式(5)【００１８】
基地局受信周波数RF10＝ 移動局送信周波数TF
−上りドップラーシフト周波数DU
＝ FU−(DD＋DU)
＝ 1.90GHz−946Hｚ                         …式(6)
すなわち、図11に示した条件下に設置される場合、無線基地局10は、“−946Hz”〜”＋946Hz”の周波数変動幅に対応可能な非常に高いＡＦＣ能力を備えていなければならない。また、移動局20の移動速度Vが大きくなればなる程、ドップラーシフトの影響が増大するため、これに対応するＡＦＣ能力が無線基地局10に必要となる。【００１９】
また、無線基地局10のＡＦＣ能力が低い場合には、図13に示す問題も生じる。
すなわち、同図(1)に示す如く無線基地局10が２つのセクタSCT1及びSCT2を管理し、移動局20がセクタSCT1と下り信号DS及び上り信号USの送受信を行っているとする。【００２０】
この状態から移動局20が移動し、同図(2)に示す如くセクタSCT1から遠ざかると、
セクタSCT2との送受信が可能となるため、移動局20は、セクタSCT1に対してセクタSCT2への切替要求REQ(或いは、セクタSCT2の追加要求)を送信する。【００２１】
しかしながら、無線基地局10のＡＦＣ能力が低い場合には、セクタ切替要求REQが正常に処理(受信)されず、同図(3)に示す如く移動局20がさらにセクタSCT1から遠ざかると、移動局20はセクタSCT1及びSCT2のいずれとも送受信が出来ずに通信断が発生してしまう。【００２２】
従って、本発明は、上記の従来の課題に鑑み、あらゆる状態においても高いＡＦＣ能力を必要とせず、移動局からの上り信号を処理することが可能な無線基地局及びその制御方法を提供することを目的とする。
【課題を解決するための手段】
【００２３】
[1]上記の目的を達成するため、本発明の一態様に係る無線基地局は、複数のアンテナと、移動局からの受信信号を取り込み、該受信信号のレベルが高い第１のアンテナで該移動局との送受信を行うと共に、この送受信状態において該第１のアンテナについて該受信信号の割当周波数に対して測定した周波数変動特性が、該移動局が該第１のアンテナから遠ざかって移動していることを示す時、該移動局への送信を第２のアンテナで行うように切り替える信号処理部とを備えたことを特徴とする。【００２４】
すなわち、信号処理部は、複数のアンテナの内、移動局からの上り信号の受信レベルが高い第１のアンテナ(すなわち、移動局に近い方のアンテナ)で送受信を開始する。【００２５】
この送受信状態において該第１のアンテナについて測定した該上り信号の周波数変動特性が、該移動局が該第１のアンテナから遠ざかって移動していることを示す時、該信号処理部は、該移動局への下り信号の送信を第２のアンテナで行うように切り替える。【００２６】
この場合、該移動局は該第２のアンテナに向かって移動しているため、該下り信号には正のドップラーシフトが発生する。一方、該上り信号には負のドップラーシフトが発生する。
このため、無線基地局における該上り信号の受信周波数は、正のドップラーシフトと負のドップラーシフトとが打ち消し合い、周波数変動幅が抑えられた状態となる。【００２７】
これにより、無線基地局は、移動局が高速移動する場合であっても、高いＡＦＣ能力を必要とせず、移動局からの上り信号を処理することができる。【００２８】
[2]また、上記[1]において、該信号処理部が、該周波数変動特性が負特性を呈し且つその変動幅が所定閾値を越えた時、該移動局が該第１のアンテナから遠ざかって移動していると判定するようにしても良い。【００２９】
[3]また、上記[1]において、該信号処理部が、該移動局への送信を該第２のアンテナで行うように切り替えた後に、該第２のアンテナについて測定した周波数変動特性の変動幅が所定閾値以下である時、該移動局が該第２のアンテナの一定距離範囲内に移動して来たと判定し、該移動局からの受信も該第２のアンテナで行うように切り替えるようにしても良い。【００３０】
すなわち、該移動局が該第２のアンテナの付近に移動して来た場合には、該下り信号へのドップラーシフトの影響が小さくなるため、上記[1]で示した上り・下りのドップラーシフトの打ち消し合いが弱まる。
このため、該上り信号の受信も該第２のアンテナで行うように切り替え、上り信号に生じる周波数変動を小さくする。【００３１】
[4]また、上記[3]において、該複数のアンテナ及び該信号処理部を該無線基地局が管理するセクタ毎に設けた場合、隣接するセクタ間で隣接するアンテナ同士を、同等の周波数変動特性を呈するように近づけて設置すれば良い。
すなわち、この場合、各セクタ間では、周波数変動の小さい状態でセクタ間切替が行われることとなるため、通信断を生じること無く安定して通信を行うことができる。【００３２】
[5]また、上記の目的を達成するための本発明の一態様に係る無線基地局システムは、複数のスレイブ基地局と、移動局からの該スレイブ基地局の受信信号を取り込み、該受信信号のレベルが高い第１のスレイブ基地局に該移動局との送受信を行わせると共に、この送受信状態において該第１のスレイブ基地局について該受信信号の割当周波数に対して測定した周波数変動特性が、該移動局が該第１のスレイブ基地局から遠ざかって移動していることを示す時、該移動局への送信を第２のスレイブ基地局に行わせるように制御するマスタ基地局とを備えたことを特徴とする。【００３３】
すなわち、この場合、マスタ基地局は、上記[1]と同様に高いＡＦＣ能力を必要とせず、移動局からの上り信号を処理することができる。【００３４】
[6]また、上記の目的を達成するための本発明の一態様に係る無線基地局システムは、複数のアンテナと、移動局からの受信信号を取り込み、該受信信号のレベルが高い第１のアンテナで該移動局との送受信を行うと共に、この送受信状態において該第１のアンテナについて該受信信号の割当周波数に対して測定した周波数変動特性が、該移動局が該第１のアンテナから遠ざかって移動していることを示す時、該移動局への送信を第２のアンテナで行うように切り替え、この切替の後に、該第２のアンテナについて測定した周波数変動特性の変動が所定閾値以下である時、該移動局が該第２のアンテナの一定距離範囲内に移動して来たと判定し、該移動局からの受信も該第２のアンテナで行うように切り替える信号処理部とを有する無線基地局を複数備え、隣接する無線基地局間で隣接するアンテナ同士が、同等の周波数変動特性を呈するように近づけて設置されていることを特徴とする。【００３５】
すなわち、この場合、無線基地局間で、上記[4]と同様に通信断を生じること無く安定して通信を行うことができる。【００３６】
[7]また、本発明では、複数のアンテナを備えた無線基地局の制御方法であって、移動局からの受信信号を取り込み、該受信信号のレベルが高い第１のアンテナで該移動局との送受信を行う第１ステップと、この送受信状態において該第１のアンテナについて該受信信号の割当周波数に対する周波数変動特性を測定する第２ステップと、該周波数変動特性が、該移動局が該第１のアンテナから遠ざかって移動していることを示す時、該移動局への送信を第２のアンテナで行うように切り替える第３ステップとを備えた無線基地局の制御方法が提供される。【００３７】
この無線基地局の制御方法においては、上記[1]で説明した通り、高いＡＦＣ能力を必要とせず、移動局からの上り信号を処理することが可能である。
【発明の効果】
【００３８】
本発明によれば、あらゆる場合において、高いＡＦＣ能力を必要とせず、移動局からの上り信号を処理することができ、通信品質の向上及び無線基地局基地局(回路)の小型化を図ることができる。また、本発明では、上り・下りのドップラーシフトの打ち消し合いにより周波数変動を小さく抑えるため、移動局の移動速度や信号の割当周波数が変更されても設計変更等を生じない。
【発明を実施するための最良の形態】
【００３９】
本発明に係る無線基地局及びその制御方法の実施例[1]及び[2]を、図1〜図9参照して以下に説明する。【００４０】
実施例[1]：図1〜図7
構成例：図1
図1に示す本実施例に係る無線基地局10は、図10に示した従来の構成とは異なり、２つのアンテナANT1及びANT2を備え、これらのアンテナANT1及びANT2に対応して送受信部100_1及び100_2が設けられている。【００４１】
また、ベースバンド信号処理部200は、送受信部100_1及び100_2から出力された高周波の上り信号USをベースバンド信号に変換すると共に、上り信号USの受信レベルRL1及びRL2(以下、符号RLで総称することがある。)並びに周波数変動幅ΔF1及びΔF2(以下、符号ΔFで総称することがある。)をそれぞれ測定するベースバンド処理を実行するベースバンド部210_1及び210_2と、通信網インタフェース300を介して移動通信網NWから受信した下り信号DSをベースバンド信号に変換するベースバンド処理を実行するベースバンド部210_3と、ベースバンド部210_1及び210_2から出力された上り信号USのいずれか一方を選択信号SL1に従って選択するマルチプレクサ220と、ベースバンド部210_3から出力された下り信号DSを選択信号SL2に従って送受信部100_1及び100_2のいずれか一方に与えるデマルチプレクサ230と、受信レベルRL及び周波数変動幅ΔFに基づき該選択信号SL1及びSL2を発生する処理部240とで構成されている。【００４２】
なお、図1の無線基地局10は２つのアンテナを用いて構成しているが、複数のアンテナを用いた場合も同様に構成できる。この場合、上述した第１のアンテナは１つだが、第２のアンテナ（隣接局）は複数の内から選択する。【００４３】
動作例：図2〜図6
図2に示すように、移動局との初期通信状態において、まずベースバンド信号処理部200内のベースバンド部210_1及び210_2が、送受信部100_1及び100_2を経由してアンテナANT1及びANT2から受信した上り信号USの受信レベルRL1及びRL2の測定をそれぞれ開始する(ステップS1)。【００４４】
さらに、ベースバンド部210_1及び210_2は、上り信号USの周波数変動幅ΔF1及びΔF2の測定をそれぞれ開始する(ステップS2)。【００４５】
ベースバンド部210_1及び210_2でそれぞれ測定された受信レベルRL1及びRL2を受けた処理部240は、受信レベルRL1とRL2とを比較し、受信レベルが高い方のベースバンド部から出力された上り信号US(すなわち、受信レベルが高い方のアンテナから受信した上り信号US)の選択を指示する選択信号SL1をマルチプレクサ220に与える。これと共に、処理部240は、ベースバンド部210_3から出力された下り信号DSを受信レベルが高い方のアンテナを有する送受信部に与えることを指示する選択信号SL2をデマルチプレクサ230に与える(ステップS3)。【００４６】
例えば図3(1)に示すように、移動局20がアンテナANT1側から無線基地局10に向かって低速で移動する場合(初期状態)を例に取ると、アンテナANT1の方がアンテナANT2より移動局20に近いため、「受信レベルRL1＞受信レベルRL2」が成立する。【００４７】
このため、同図(2)に実線で示すように、アンテナANT1で下り信号DSの送信及び上り信号USの受信が行われることとなる。但し、アンテナANT2からの上り信号USの受信自体は停止せず、周波数変動幅ΔF2の測定を継続して行う。【００４８】
今、移動局20の移動速度Vが低速であり、下り信号DSに生じる下りドップラーシフト周波数及び上り信号USに生じる上りドップラーシフト周波数は共に小さいため、図4の特性CR10_Lに示すように、基地局受信周波数の周波数変動が小さい状態(区分B)にある。
なお、初期状態から移動局20の移動速度Vが高速である場合については、後述する実施例[2]で扱う。【００４９】
ここで、同図に示す如く周波数変動幅ΔFに対して予め設定した閾値Th1及びTh2を用い、「区分A」〜「区分C」を下記のように定義している。
・「区分A」：周波数変動幅ΔF＞閾値Th1
・「区分B」：閾値Th1≦周波数変動幅ΔF≦閾値Th2
・「区分C」：周波数変動幅ΔF＜閾値Th2
なお、上記の閾値Th1及びTh2は、無線基地局が有するＡＦＣ能力に応じて適宜設定すれば良い。【００５０】
また、移動局20の移動速度Vが高速である場合には、図12に示した特性と同様、低速時の特性CR10_Lと比較して周波数変動幅ΔFの大きい特性CR10_Hを呈する。
この後、処理部240は、選択したアンテナANT1から受信した上り信号USの周波数変動幅ΔF1が、図4に示した「区分B」から「区分C」に遷移したか否かを監視する(ステップS4)。【００５１】
例えば、移動局20が図3(2)の位置から加速しながら移動し、同図(3)に示す如くアンテナANT1の直近位置において速度V＝“高速”で到達した時、アンテナANT1の周波数変動幅ΔF1は「区分B」にあるため、処理部240は、何ら処理を実行せず、アンテナANT1による送受信状態を維持する(ステップS5)。【００５２】
一方、同図(4)に示すように、移動局20がアンテナANT1から遠ざかって移動していくと、ANT1の周波数変動幅ΔF1が「区分C」に遷移するため、処理部240は、デマルチプレクサ230に対し、下り信号DSをアンテナANT1(送受信部110_1)では無くアンテナANT2(送受信部110_2)に与えることを指示する選択信号SL2を与える(ステップS6)。【００５３】
これにより、同図(5)に示すように、無線基地局10からはアンテナANT2を介して下り信号DSが移動局20に対して送信され、移動局20からの上り信号USはアンテナANT1を介して受信されることとなる。
図5に示すように、移動局20を所持するユーザ(図示せず)が、図10と同様に速度V＝“250Km/h”で無線基地局10を通過する高速列車TRに搭乗しているとすると、移動局20の受信周波数RF20は上記の式(1)と同様の値となる。【００５４】
従って、上記の式(3)と同様、下りドップラーシフト周波数DD(495Hz)が加算された送信周波数TFで上り信号USが移動局20から送信されるが、移動局20はアンテナANT1から遠ざかって移動しているため、無線基地局10の受信周波数RF10は、負のドップラーシフトの影響を受けて下記の式(7)に示す値となる。【００５５】
基地局受信周波数RF10  ＝ 移動局送信周波数TF−上りドップラーシフト周波数DU
＝ FU＋(DD−DU)
＝ 1.90GHz＋44Hｚ                         …式(7)
すなわち、上記の式(7)に示す如く下りドップラーシフト周波数DDと上りドップラーシフト周波数DUとが打ち消し合い、無線基地局10が受信する上り信号USの周波数変動が小さく抑えられることとなる。【００５６】
この後、処理部240は、アンテナANT2の周波数変動幅ΔF2が「区分A」から「区分B」に遷移したか否かを監視する(ステップS7)。
図6(1)に示すように、上記のステップS6の実行直後においてはアンテナANT2から送信された下り信号DSが正のドップラーシフトの影響を受け、移動局20から送信された上り信号USも正のドップラーシフトの影響を受けるため、周波数変動幅ΔF2は「区分A」にある。【００５７】
従って、処理部240は、何ら処理を実行せず、アンテナANT2による送信及びアンテナANT1による受信を維持する(ステップS8)。
一方、図6(2)に示すように、移動局20がアンテナANT2の付近に到達すると、アンテナANT2の周波数変動幅ΔF2が「区分A」から「区分B」に遷移する。【００５８】
この場合、下りドップラーシフトの影響が小さく、上り信号USに生じる上りドップラーシフトとの打ち消し合いが弱まる(打ち消し合いの最大地点はアンテナANT1とANT2との中間点)ため、処理部240は、アンテナANT1(ベースバンド部210_1)からでは無く、アンテナANT2(ベースバンド部210_2)から受信した上り信号USの選択を指示する選択信号SL1をマルチプレクサ220に与える(ステップS9)。【００５９】
これにより、同図(3)に示すように、移動局20との送受信がアンテナANT2で行われることとなる。
また、本実施例では、単一の無線基地局が２つのアンテナを備える構成としたが、以下の変形例に示す無線基地局システムによっても上記と同様の動作を実現することができる。【００６０】
変形例：図7
図7に示す無線基地局システム1000は、図1に示したアンテナANT1及び送受信部100_1を有する張出基地局(スレイブ基地局、アンテナ装置)30_1と、アンテナANT2及び送受信部100_2を有する張出基地局30_2と、ベースバンド信号処理部200及び通信網インタフェース300を有するマスタ基地局（基地局）40とで構成されている。【００６１】
また、張出基地局30_1内の送受信部100_1とマスタ基地局40内のベースバンド信号処理部200は、光ファイバFBで相互接続された伝送インタフェース400_11及び400_12を介して、下り信号DSの送信及び上り信号USの受信を行うように接続されている。張出基地局30_2内の送受信部100_2とベースバンド信号処理部200についても同様に、伝送インタフェース400_21、光ファイバFB、及び伝送インタフェース400_22を経由して信号の送受信を行うように接続されている。【００６２】
実施例[2]：図8及び図9
図8に示す本実施例に係る無線基地局10aは、ｎ個のセクタSCT1〜SCTnを管理する基地局であり、各セクタ毎に、上記の実施例[1]と同様のアンテナ、送受信部、ベースバンド信号処理部が設けられている。
また、隣接するセクタ間で隣接するアンテナ同士を、受信した上り信号の周波数変動が同等になるように図示のアンテナANT21とANT12のように、近づけて設置している。【００６３】
次に、本実施例の動作を説明するが、各セクタ内の動作は上記の実施例[1]と同様であるため説明を省略し、セクタ間切替時の動作のみを図9を参照して説明する。
図9(1)に示すように、速度V＝“高速”で移動する移動局20がセクタSCT1内のアンテナANT21の付近に到達した時、セクタSCT1に対応して設けたベースバンド信号処理部200_1は、上記の実施例[1]と同様にして移動局20との送受信をアンテナANT21で行うように制御する。これにより、アンテナANT21の受信周波数変動幅は、図4に示した「区分B」となる。【００６４】
また、セクタSCT2のアンテナANT12に近づき、セクタSCT2との通信が可能となるため、移動局20は、同図(1)に一点鎖線で示す如くセクタSCT1に対してセクタSCT2への切替要求REQを送信する。
今、アンテナANT21の受信周波数変動幅は「区分B」にあるため、セクタ切替要求REQは正常に処理(受信)され、同図(2)に示すように、セクタSCT2内のアンテナANT12及びANT22について上記の実施例[1]で示した受信レベル及び周波数変動幅の測定が行われることとなる。【００６５】
この時、移動局20の移動速度Vは“高速”であるが、アンテナANT12の受信周波数変動幅がセクタSCT1内のアンテナANT21と同様に「区分B」にあるため、セクタSCT2における上り信号USの周波数変動が小さい状態から通信が開始される。
以降のセクタSCT3,SCT4,…,SCTnにおいても、上記と同様にしてセクタ間切替が行われる。【００６６】
なお、図示されないが、図1に示した無線基地局10を複数個備え、且つ隣接する基地局間で隣接するアンテナ同士を近づけて設置した無線基地局システムによっても上記と同様の動作(但し、基地局間切替)を実現することができる。
なお、上記実施例によって本発明は限定されるものではなく、特許請求の範囲の記載に基づき、当業者によって種々の変更が可能なことは明らかである。
【図面の簡単な説明】
【００６７】
【図１】本発明に係る無線基地局及びその制御方法の実施例[1]の構成例を示したブロック図である。
【図２】本発明に係る無線基地局及びその制御方法の実施例[1]の動作例を示したフローチャート図である。
【図３】本発明に係る無線基地局及びその制御方法の実施例[1]の動作説明に用いる移動局の移動過程の一例を示した図である。
【図４】本発明に係る無線基地局及びその制御方法の実施例[1]に用いる基地局受信周波数変動特性を示したグラフ図である。
【図５】本発明に係る無線基地局及びその制御方法の実施例[1]における移動局送信周波数及び基地局受信周波数を示した図である。
【図６】本発明に係る無線基地局及びその制御方法の実施例[1]の動作説明に用いる移動局の移動過程の他の例を示した図である。
【図７】本発明に係る無線基地局及びその制御方法の実施例[1]の変形例を示したブロック図である。
【図８】本発明に係る無線基地局及びその制御方法の実施例[2]の構成例を示したブロック図である。
【図９】本発明に係る無線基地局及びその制御方法の実施例[2]の動作例を示した図である。
【図１０】無線基地局の一般的な構成例を示したブロック図である。
【図１１】従来の無線基地局における移動局送信周波数及び基地局受信周波数を示した図である。
【図１２】従来の無線基地局における基地局受信周波数変動特性を示したグラフ図である。
【図１３】従来の無線基地局におけるセクタ間切替動作を示した図である。
【符号の説明】
【００６８】
10, 10a  基地局
20  移動局
30_1, 30_2  張出基地局（アンテナ装置）
40  マスタ基地局（基地局）
100, 100_1, 100_2, 100_11〜100_1n,100_21〜100_2n  送受信部
200, 200_1〜200_n  ベースバンド信号処理部
210_1〜210_3  ベースバンド部
220  マルチプレクサ
230  デマルチプレクサ
240  処理部
300  通信網インタフェース
400_11, 400_12, 400_21, 400_22  伝送インタフェース
1000  基地局システム
ANT, ANT1, ANT2, ANT11〜ANT1n,ANT21〜ANT2n  アンテナ
NW  移動通信網
DS  下り信号
US  上り信号
FD  下り割当周波数
FU  上り割当周波数
DD  下りドップラーシフト周波数
DU  上りドップラーシフト周波数
RF10  基地局受信周波数
RF20  移動局受信周波数
TF  移動局送信周波数
ΔF, ΔF1, ΔF2  周波数変動幅
RL, RL1, RL2  受信レベル
CR10  基地局受信周波数変動特性
CR20  移動局受信周波数変動特性
SCT1〜SCTn  セクタ
REQ  セクタ切替要求
FB  光ファイバ
TR  高速列車
V  移動速度
図中、同一符号は同一又は相当部分を示す。
【図１】
2009034614.tif 000003
【図２】
2009034614.tif 000004
【図３】
2009034614.tif 000005
【図４】
2009034614.tif 000006
【図５】
2009034614.tif 000007
【図６】
2009034614.tif 000008
【図７】
2009034614.tif 000009
【図８】
2009034614.tif 000010
【図９】
2009034614.tif 000011
【図１０】
2009034614.tif 000012
【図１１】
2009034614.tif 000013
【図１２】
2009034614.tif 000014
【図１３】
2009034614.tif 000015
【国際調査報告】
2009034614.tif 000016
2009034614.tif 000017
2009034614.tif 000018